(57)【要約】【課題】高さ方向の大きさが小さいフローティングコネクタを提供する。【解決手段】プラグコンタクト２２の接触部２２ａを上下方向に挿入させるようにしてプラグハウジング２１と上下方向に嵌合して接続される可動側ハウジング３２、可動側ハウジング３２により整列保持された複数のレセプタクルコンタクト３３、可動側ハウジング３２を前後および左右に移動可能に支持する固定側ハウジング３１、および固定側ハウジング３１により整列保持された複数の接続片５１から構成され、レセプタクルコンタクト３３は、可動側ハウジング３２とプラグハウジング２１を上下方向に嵌合して接続させるときに、接触部２２ａと上下に摺動自在に当接接続する被接触部７２を一端側に有し、他端側に摺接部７４を有し、固定側コンタクトは、摺接部７４と上下方向に対向して前後左右に摺動自在に当接接続する被摺接部５３を一端側に有することを特徴とする。【選択図】図１
2020198193.tif 000002
【特許請求の範囲】
【請求項１】
一端側に相手側接続部を有する複数の相手側コンタクトを、前記相手側接続部を少なくとも上下方向に露出させて相手側ハウジングにより整列保持して構成される相手側コネクタに対して、上下方向に嵌合接続されるフローティングコネクタであって、
前記相手側接続部を上下方向に挿入させるようにして前記相手側ハウジングと上下方向に嵌合して接続される可動側ハウジング、前記可動側ハウジングにより整列保持された複数の可動側コンタクト、前記可動側ハウジングを前後および左右に移動可能に支持する固定側ハウジング、および前記固定側ハウジングにより整列保持された複数の固定側コンタクトから構成され、
前記可動側コンタクトは、
前記可動側ハウジングと前記相手側ハウジングを上下方向に嵌合して接続させるときに、前記相手側接続部と上下に摺動自在に当接接続する可動側コンタクト第１接続部を一端側に有し、
他端側に可動側コンタクト第２接続部を有し、
前記固定側コンタクトは、
前記可動側コンタクト第２接続部と上下方向に対向して前後左右に摺動自在に当接接続する固定側コンタクト第１接続部を一端側に有することを特徴とするフローティングコネクタ。
【請求項２】
前記相手側接続部が上下に延びる平板状に形成され、前記可動側コンタクト第１接続部が上下に延びる受容空間を有する二股状の受容脚を有するように形成されており、
前記可動側ハウジングに前記相手側ハウジングを上下方向に嵌合して接続させるときに、前記二股状の受容脚の間の前記受容空間内に前記相手側接続部が圧入されて前記相手側接続部と前記可動側コンタクト第１接続部が上下に摺動自在に当接接続されることを特徴とする請求項１に記載のフローティングコネクタ。
【請求項３】
前記可動側コンタクト第２接続部および前記固定側コンタクト第１接続部のいずれか一方が前後左右に延びる平板面状の当接面を有し、前記可動側コンタクト第２接続部および前記固定側コンタクト第１接続部の他方が前記当接面と当接接触するとともに上下に弾性変形可能な当接脚を有し、
前記当接脚の弾性変形により前記当接脚と前記当接面との当接状態を維持して、前記可動側コンタクト第２接続部および前記固定側コンタクト第１接続部を、前後左右に摺動自在に当接接続させることを特徴とする請求項１もしくは２に記載のフローティングコネクタ。
【請求項４】
フローティングコネクタと嵌合するコネクタであって、
前記フローティングコネクタが請求項１に記載のフローティングコネクタであり、前記コネクタが請求項１に記載の相手側コネクタであることを特徴とするコネクタ。
【請求項５】
請求項１に記載の前記フローティングコネクタと、請求項１に記載の前記相手側コネクタとから構成されることを特徴とするフローティングコネクタアセンブリ。
【発明の詳細な説明】
【技術分野】
【０００１】
本発明は、フローティングコネクタ、コネクタ、フローティングコネクタアセンブリに関する。
【背景技術】
【０００２】
フローティングコネクタは、ケーブルと基板とを電気的に接続する際や、基板と基板とを電気的に接続する際において、互いの取付位置にずれが生じやすいような場合に使用される。この種のフローティングコネクタとして、基板上に固定された固定側ハウジングと、固定側ハウジングに対して相対移動可能な可動側ハウジングと、固定側ハウジングと可動側ハウジングとの双方に跨って保持されたコンタクトと、を備えたものがある（例えば、特許文献１を参照）。
【０００３】
フローティングコネクタは、可動側ハウジングに相手側コネクタを嵌合するものである。可動側ハウジングに相手側コネクタを嵌合する際には、可動側ハウジングに対し相手側コネクタの位置が多少ずれていても、コンタクトが弾性変形することにより可動側ハウジングが移動し、位置ずれを吸収する。このため、互いの取付位置に若干の位置ずれがあっても相互嵌合が可能となる。コンタクトは弾性変形しやすいように折り曲げ形成された折曲部を有するものが一般的である。
【先行技術文献】
【特許文献】
【０００４】
【特許文献１】特開２０１８−１３９２２９号公報
【発明の概要】
【発明が解決しようとする課題】
【０００５】
ところで、今までのフローティングコネクタでは、折曲部は、弾性変形しやすいようにフローティングコネクタの高さ方向に長く形成されている構成が一般的であった。そのためフローティングコネクタ自体の高さ方向の大きさが大きくなるという問題があった。
【０００６】
本発明はこのような事情に鑑みてなされたものであり、高さ方向の大きさが小さいフローティングコネクタと、そのフローティングコネクタに嵌合するコネクタと、そのコネクタとフローティングコネクタとから構成されるフローティングコネクタアセンブリと、を提供することを目的とする。
【課題を解決するための手段】
【０００７】
上記目的を達成するため、本発明に係るフローティングコネクタ（例えば、実施形態におけるレセプタクルコネクタ３）は、一端側に相手側接続部（例えば、実施形態における接触部２２ａ）を有する複数の相手側コンタクト（例えば、実施形態におけるプラグコンタクト２２）を、前記相手側接続部を少なくとも上下方向に露出させて相手側ハウジング（例えば、実施形態におけるプラグハウジング２１）により整列保持して構成される相手側コネクタ（例えば、実施形態におけるプラグコネクタ２）に対して、上下方向に嵌合接続されるフローティングコネクタであって、前記相手側接続部を上下方向に挿入させるようにして前記相手側ハウジングと上下方向に嵌合して接続される可動側ハウジング（例えば、実施形態における可動側ハウジング３２）、前記可動側ハウジングにより整列保持された複数の可動側コンタクト（例えば、実施形態におけるレセプタクルコンタクト３３）、前記可動側ハウジングを前後および左右に移動可能に支持する固定側ハウジング（例えば、実施形態における固定側ハウジング３１）、および前記固定側ハウジングにより整列
保持された複数の固定側コンタクト（例えば、実施形態における接続片５１）から構成され、前記可動側コンタクトは、前記可動側ハウジングと前記相手側ハウジングを上下方向に嵌合して接続させるときに、前記相手側接続部と上下に摺動自在に当接接続する可動側コンタクト第１接続部（例えば、実施形態における被接触部７２）を一端側に有し、他端側に可動側コンタクト第２接続部（例えば、実施形態における摺接部７４）を有し、前記固定側コンタクトは、前記可動側コンタクト第２接続部と上下方向に対向して前後左右に摺動自在に当接接続する固定側コンタクト第１接続部（例えば、実施形態における被摺接部５３）を一端側に有することを特徴とする。
【０００８】
上記構成のフローティングコネクタにおいて、前記相手側接続部が上下に延びる平板状に形成され、前記可動側コンタクト第１接続部が上下に延びる受容空間を有する二股状の受容脚（例えば、実施形態における被接触部７２）を有するように形成されており、前記可動側ハウジングに前記相手側ハウジングを上下方向に嵌合して接続させるときに、前記二股状の受容脚の間の前記受容空間内に前記相手側接続部が圧入されて前記相手側接続部と前記可動側コンタクト第１接続部が上下に摺動自在に当接接続されることが好ましい。
【０００９】
上記構成のフローティングコネクタにおいて、前記可動側コンタクト第２接続部および前記固定側コンタクト第１接続部のいずれか一方が前後左右に延びる平板面状の当接面（例えば、実施形態における当接面５３ａ）を有し、前記可動側コンタクト第２接続部および前記固定側コンタクト第１接続部の他方が前記当接面と当接接触するとともに上下に弾性変形可能な当接脚（例えば、実施形態におけるバネ部７３、摺接部７４）を有し、前記当接脚の弾性変形により前記当接脚と前記当接面との当接状態を維持して、前記可動側コンタクト第２接続部および前記固定側コンタクト第１接続部を、前後左右に摺動自在に当接接続させることが好ましい。
【００１０】
本発明に係るコネクタは、フローティングコネクタと嵌合するコネクタであって、前記フローティングコネクタが上記構成におけるフローティングコネクタであり、前記コネクタが上記構成における相手側コネクタであることを特徴とする。
【００１１】
本発明に係るフローティングコネクタアセンブリは、上記構成におけるフローティングコネクタと、上記構成における相手側コネクタとから構成されることを特徴とする。
【発明の効果】
【００１２】
上記のように構成された本発明に係るフローティングコネクタによれば、可動側ハウジングが固定側ハウジングに対して相対移動する際には、可動側ハウジングに固定された可動側コンタクトが固定側ハウジングに固定された固定側コンタクトに摺接されて接続された状態を保ちながら相対移動する。従って、可動側ハウジングの固定側ハウジングに対する相対移動を吸収するために、コンタクトを前後方向に弾性変形可能とするべく上下に大きく折り曲げた形状とする必要がなく、コンタクトの上下方向の大きさを小さくすることができ、低背型のフローティングコネクタとすることができる。
【００１３】
また、上記フローティングコネクタにおいて、可動側コンタクト第１接続部が上下に延びる受容空間を有する二股状の受容脚を有し、前記二股状の受容脚の間の前記受容空間内に前記相手側接続部が圧入されて前記相手側接続部と前記可動側コンタクト第１接続部とが当接接続されるので、相手側コンタクトと可動側コンタクトとを安定して接続することができる。
【００１４】
また、上記フローティングコネクタにおいて、可動側コンタクト第２接続部および固定側コンタクト第１接続部のいずれか一方が前後左右に延びる平板面状の当接面を有し、可動側コンタクト第２接続部および固定側コンタクト第１接続部の他方が当接面と当接接触
するとともに上下に弾性変形可能な当接脚を有するので、可動側コンタクト第２接続部と固定側コンタクト第１接続部とが、好適に摺接接続できるとともに、その際にも、当接脚と当接面との当接状態を維持することができる。
【図面の簡単な説明】
【００１５】
【図１】本発明の一実施形態に係るレセプタクルコネクタ（フローティングコネクタ）を備えたコネクタアセンブリの斜視図である。
【図２】上記コネクタアセンブリのレセプタクルコネクタとプラグコネクタを示す斜視図である。
【図３】上記プラグコネクタを示す斜視図である。
【図４】上記プラグコネクタを示す底面図である。
【図５】上記プラグコネクタを示す側面図である。
【図６】上記プラグコネクタのプラグコンタクトを示す斜視図である。
【図７】上記レセプタクルコネクタの固定側ハウジングを示す斜視図である。
【図８】上記レセプタクルコネクタの可動側ハウジングを示す斜視図である。
【図９】上記レセプタクルコネクタを示す上面図である。
【図１０】図９におけるＡ−Ａ線断面図である。
【図１１】上記レセプタクルコネクタを示す正面図である。
【図１２】上記レセプタクルコネクタを示す背面図である。
【図１３】上記レセプタクルコネクタを示す底面図である。
【図１４】上記レセプタクルコネクタを示す側面図である。
【図１５】上記レセプタクルコネクタの可動側ハウジングを示す正面図である。
【図１６】上記レセプタクルコネクタの可動側ハウジングを示す底面図である。
【図１７】上記レセプタクルコネクタの可動側ハウジングを示す背面図である。
【図１８】上記レセプタクルコネクタの可動側ハウジングを示す側面図である。
【発明を実施するための形態】
【００１６】
以下、本発明の実施形態について図面を参照しながら説明する。本発明の一実施形態に係るフローティングコネクタ（レセプタクルコネクタ３）を備えたコネクタアセンブリ１を図１に示しており、この図を参照してコネクタアセンブリ１の全体構成について説明する。以下の説明では、便宜上、前後、左右及び上下の方向を図において定義しており、各コネクタの嵌合方向を上下方向、各コネクタの長手方向（幅方向）を左右方向、これら上下方向及び左右方向に直交する方向を前後方向と称して説明する。
【００１７】
コネクタアセンブリ１は、第１基板１０上に設けられるプラグコネクタ２と、第２基板１１上に設けられるレセプタクルコネクタ３と、から構成されている。両コネクタを各基板の表面に対して直交する方向に嵌合させることにより、第１基板１０と第２基板１１とを電気的に接続することができる。
【００１８】
まず、プラグコネクタ２（相手側コネクタ）の構成について、図１〜図５を参照して説明する。プラグコネクタ２は、第１基板１０上に固定されるプラグハウジング２１（相手側ハウジング）と、このプラグハウジング２１にプラグハウジング２１の左右方向（長手方向）に沿って一列の整列状態で保持される複数のプラグコンタクト２２（相手側コンタクト）と、を備えて構成される。
【００１９】
プラグハウジング２１は、合成樹脂等の電気絶縁性の材料を用いて成形されており、横長の直方体状に形成されたハウジング本体２３と、ハウジング本体２３の後面側左右の両端部に設けられた一対の取付部２４と、を備えて構成される。ハウジング本体２３の底部には、ハウジング本体２３の底面から突出するように円筒状の左右一対の位置決め突起２５が形成されている。位置決め突起２５は、プラグハウジング２１を第１基板１０上に位
置決めするためのものである。
【００２０】
取付部２４は、直方体状であって、ハウジング本体２３の左右両端部における後側先端部から後方に突出するように形成されている。取付部２４は、ハウジング本体２３の上面より上側に突出している。取付部２４は、取付部２４の下面がハウジング本体２３の下面よりも上側となるように形成されている。取付部２４は、位置決め凹部２６を有している。位置決め凹部２６は、取付部２４の左右方向内側面に上下方向に沿った溝状に形成され、上下が開放されている。位置決め凹部２６は、前後の間隔が、上側が狭く、下側が広いテーパー状に形成されている。位置決め凹部２６は、左右の奥行が、上側が小さく、下側が大きいテーパー状に形成されている。
【００２１】
プラグコンタクト２２は、金属等の導電性材料から作られ、図６に示すように、平板状で略Ｌ字状に形成されている。プラグコンタクト２２は、後述するレセプタクルコンタクト３３と接触する接触部２２ａ（相手側接続部）と、第１基板１０の配線パターンと接続される第１基板接続部２２ｂと、接触部２２ａ及び第１基板接続部２２ｂを繋ぐ中間部２２ｃと、を有している。接触部２２ａは、Ｌ字の長辺の突出端部として形成されている。接触部２２ａは、平板状に形成され、平板面が左右方向を向くように配設され、左右方向に所定の厚みを有し、上下方向に所定の幅を有する。接触部２２ａの上下の幅は、プラグコネクタ２をレセプタクルコネクタ３に接続する際に想定される上下方向の取付誤差よりも大きく形成されている。接触部２２ａは、複数、左右方向に間隔を空けて、プラグハウジング２１におけるハウジング本体２３の後端面から後方へ突出するように形成されている。接触部２２ａは、後方と上下方向とがプラグハウジング２１から露出している。第１基板接続部２２ｂは、Ｌ字の短辺の突出端部として形成され、プラグハウジング２１の下面に露出している。
【００２２】
続いて、レセプタクルコネクタ３の構成について、図７〜図１８を追加参照して説明する。レセプタクルコネクタ３は、第２基板１１上に固定される固定側ハウジング３１と、この固定側ハウジング３１に対して相対移動可能に取り付けられた可動側ハウジング３２と、可動側ハウジング３２の左右方向（長手方向）に沿って一定の間隔をあけて整列保持された複数のレセプタクルコンタクト３３（可動側コンタクト）と、を備えて構成される。
【００２３】
固定側ハウジング３１は、合成樹脂等の電気絶縁性の材料を用いて成形されており、第２基板１１と上下に対向する略矩形板状の固定側本体部４１と、固定側本体部４１の左右の端部に設けられた一対の左右壁４２と、を有して形成される。固定側本体部４１には、後述する接続片５１が設置される台部４３と、前方に突出する複数の突出部４４と、裏側に突出する左右一対の位置決め突起４５と、が形成されている。
【００２４】
台部４３は、固定側本体部４１の後側に形成され、固定側本体部４１の上面から上方に突出する台状に形成されている。台部４３の上面は固定側本体部４１の上面と平行な平面状に形成され、後述する接続片５１の被摺接部５３を支持する。台部４３は、左右方向に３つ並んで形成され、台部４３，４３間には、溝部４７が形成されている。突出部４４は、固定側本体部４１の前面から前方に突出する板状に形成され、左右方向に所定の間隔を空けて複数並んでいる。突出部４４の上面及び下面は、固定側本体部４１の上面及び下面と平行であり連続している。左右方向両外側の突出部４４の上面には、外れ防止突起４６が形成されている。外れ防止突起４６の前面は、前方に行くに従って下方に傾斜する傾斜面となっている。外れ防止突起４６の後面は、突出部４４の上面と垂直となっている。
【００２５】
位置決め突起４５は、固定側ハウジング３１を第２基板１１上に位置決めするものであり、円筒状に形成され、固定側本体部４１と突出部４４の境目下面に下側に向けて突出す
るように形成されている。左右壁４２は、断面略コ字状に形成され、溝部４８を有する。溝部４８は、左右壁４２の左右内側に前後方向に沿って形成され、左右内側と、前後が、開放されている。
【００２６】
固定側ハウジング３１には、複数の接続片５１（固定側コンタクト）が左右方向に所定の間隔を空けて並んで整列保持されている。接続片５１は、後述する可動側ハウジング３２のレセプタクルコンタクト３３に対応して配置されている。接続片５１は、金属等の導電性材料で形成されている。接続片５１は、第２基板１１の配線パターンと接続される第２基板接続部５２と、後述するレセプタクルコンタクト３３の摺接部７４が摺接する被摺接部５３（固定側コンタクト第１接続部）と、第２基板接続部５２及び被摺接部５３を接続する段差部５４と、を有している。第２基板接続部５２は、上下に延在する細長板状に形成され、固定側本体部４１を上下に貫通している。被摺接部５３は、平板状に形成され、台部４３上に板面を当接させて設置され、前後に延在している。被摺接部５３は、上面に前後左右に延びる平板面状の当接面５３ａを有している。段差部５４は、一端が第２基板接続部５２に接続され、固定側本体部４１の上面に沿って配設されるとともに、他端が固定側本体部４１の上面から台部４３の上面に亘って形成されている。
【００２７】
可動側ハウジング３２は、合成樹脂等の電気絶縁性の材料を用いて成形されており、直方体状の本体部６１と、本体部６１から左右外側方向に突出する挿入部６２と、を有する。可動側ハウジング３２の挿入部６２を含む左右方向の幅は、固定側ハウジング３１の左右の溝部４８間の間隔よりも、小さく形成されている。可動側ハウジング３２の挿入部６２を含む左右方向の幅と、固定側ハウジング３１の左右の溝部４８間の間隔との差は、プラグコネクタ２をレセプタクルコネクタ３に接続する際の左右方向の取付誤差以上となっている。
【００２８】
本体部６１の前面には、本体部６１の前面と上面と下面が開放された、溝状のプラグコンタクト接続部６３（接続部）が左右方向に並んで複数形成されている。プラグコンタクト接続部６３は、第２基板１１と直交する方向であって可動側ハウジング３２の第２基板１１側とは反対側方向と、第２基板１１と平行な方向の内の少なくとも一つの方向と、が連続して開放されている溝状に形成されている。プラグコンタクト接続部６３は、左右と後側の上部がテーパー状に形成されて、上方が広く、下方が狭くなるように形成され、テーパー部６４となっている。
【００２９】
また、本体部６１には、レセプタクルコンタクト保持部６５が形成され、レセプタクルコンタクト３３が挿入されて保持されている。レセプタクルコンタクト保持部６５は、プラグコンタクト接続部６３の各々に１つずつ対応して、左右方向に並んで複数形成されている。レセプタクルコンタクト保持部６５は、本体部６１の下面に開口したコンタクト収容部６５ａと、レセプタクルコンタクト３３を保持するコンタクト保持部６５ｂと、を有する。コンタクト収容部６５ａは、本体部６１の下面において前後方向に延びる溝状に形成されている。コンタクト収容部６５ａの前端部が、プラグコンタクト接続部６３の後端部と連通している。コンタクト保持部６５ｂは、プラグコンタクト接続部６３の左右方向両内面に前後方向に沿って形成された溝状部である。コンタクト保持部６５ｂは、前面が開放されている。コンタクト保持部６５ｂの後端部とコンタクト収容部６５ａの前端部の上部とは、連通している。本体部６１の前側左右両端部には、プラグコネクタ位置決め部６６が形成されている。プラグコネクタ位置決め部６６は、本体部６１の前側左右両端部から左右外側方向に突出した直方体状に形成されている。プラグコネクタ位置決め部６６は、上部が左右方向視、半円状に形成されている。プラグコネクタ位置決め部６６の頂点は、本体部６１の上面より僅かに上方に突出している。
【００３０】
本体部６１の下面には、図１５〜図１８に示すように、下方に突出し、前後方向に延在
する突出部６７が形成されている。突出部６７は、図１０に示すように、前後方向が外れ防止突起４６の後方から台部４３の前方までの長さに形成されている。突出部６７は、各コンタクト収容部６５ａの左右両側に形成され、左右方向に所定の間隔を空けて複数形成されている。突出部６７の高さは、台部４３の高さ以上に形成されている。挿入部６２は、直方体状に形成されており、本体部６１の左右端面下部において前後方向に延在し、左右外側方向に突出している。可動側ハウジング３２は、固定側ハウジング３１における左右壁４２の溝部４８に挿入部６２を挿入させて固定側ハウジング３１上に設置されている。その際には、可動側ハウジング３２におけるプラグコンタクト接続部６３，６３間の下部に、固定側ハウジング３１の突出部４４が位置する。また、可動側ハウジング３２は、固定側ハウジング３１に対して前後左右にスライド移動（相対移動）可能である。
【００３１】
レセプタクルコンタクト３３は、金属等の導電性材料の薄平板にプレス加工（打ち抜き加工及び曲げ加工）を施して図７等に示す所定形状に形成されている。レセプタクルコンタクト３３は、コンタクト保持部６５ｂに圧入保持される圧入部７１（可動側コンタクト第１接続部、受容脚）と、圧入部７１の前端部から垂下され、上下に延びる一対の被接触部７２，７２（可動側コンタクト第１接続部、受容脚）と、圧入部７１の後端から後ろ方向に延在するバネ部７３（当接脚）と、バネ部７３の後ろ方向先端部に形成され、被摺接部５３に摺接される摺接部７４（可動側コンタクト第２接続部、当接脚）と、を有している。
【００３２】
圧入部７１は、後側から前方にむけて二股状に形成され、左右に分かれている。圧入部７１は、溝状のプラグコンタクト接続部６３の左右に形成されたコンタクト保持部６５ｂに前方が開放されるようにして圧入されている。一対の被接触部７２，７２は、二股状に分かれた左右の圧入部７１の前側先端部分からそれぞれ垂下されている。被接触部７２，７２は、可動側ハウジング３２の本体部６１前面に垂下されており、可動側ハウジング３２外部に露出している。一対の被接触部７２，７２の間は、プラグコンタクト２２の接触部２２ａが受容される受容空間となっている。被接触部７２，７２の下側先端部には、左右方向内向きに突出する凸部７５，７５が形成されている。凸部７５の上側は、下方に向かうに従って左右方向内向きに突出する傾斜状に形成されている。左右の凸部７５，７５は、互いに対向するように形成され、その間隔は、プラグコンタクト２２の接触部２２ａが間に挟まれることが可能な間隔となっている。即ち、左右の凸部７５，７５の間隔（凸部７５，７５間の距離）は、通常状態（接触部２２ａが挿入されていない状態）の際には、接触部２２ａの厚みより小さくなるように形成されており、接触部２２ａが挿入されると接触部２２ａによって押し広げられる。プラグハウジング２１を可動側ハウジングに上下方向に嵌合して接続する際には、被接触部７２，７２の受容空間内にプラグコンタクト２２の接触部２２ａが圧入され、被接触部７２，７２は、プラグコンタクト２２の接触部２２ａと上下に摺動自在に当接接続する。
【００３３】
バネ部７３は、図９に示すように、圧入部７１から垂下される第１垂下部７３ａと、第１垂下部７３ａの下側先端部から後側上方に向けて延出する中間部７３ｂと、中間部７３ｂの後側先端部から後ろ斜め下方に延出する第２垂下部７３ｃと、を有している。第２垂下部７３ｃの後側先端に摺接部７４が形成されている。バネ部７３は、摺接部７４を接続片５１の被摺接部５３に上から当接させた際に、摺接部７４を被摺接部５３に当接させる方向に付勢する。摺接部７４は、被摺接部５３の当接面５３ａに当接接触する。このように構成されるレセプタクルコンタクト３３は、圧入部７１を可動側ハウジング３２のコンタクト保持部６５ｂを保持させて、可動側ハウジング３２に固定されている。可動側ハウジング３２を固定側ハウジング３１上に設置した際には、バネ部７３の弾性変形（付勢）により、レセプタクルコンタクト３３の摺接部７４と、被摺接部５３の当接面５３ａと、の当接状態が維持され、摺接部７４が被摺接部５３に上下方向に対向して前後左右に摺動自在に当接接続する。
【００３４】
このように構成されるレセプタクルコネクタ３とプラグコネクタ２の接続について説明する。先ず、レセプタクルコネクタ３の可動側ハウジング３２におけるプラグコンタクト接続部６３上方に、プラグコネクタ２のプラグコンタクト２２における接触部２２ａが位置するように、プラグコネクタ２を配置する。そして、プラグコネクタ２を下降させ、レセプタクルコネクタ３に近づけていく。そして、プラグコネクタ２の位置決め凹部２６にレセプタクルコネクタ３のプラグコネクタ位置決め部６６を挿入する。
【００３５】
この際には、位置決め凹部２６が上方が狭くなるテーパー状に形成されているので、プラグコネクタ２に対してのレセプタクルコネクタ３における可動側ハウジング３２の前後左右の位置が微調整される。また、この際には、プラグコンタクト２２の接触部２２ａが、レセプタクルコネクタ３の可動側ハウジング３２におけるプラグコンタクト接続部６３に上方から挿入される。プラグコンタクト接続部６３は、上部の左右と後側がテーパー状に形成されているので、プラグコンタクト２２が挿入される際に、プラグコネクタ２に対しての可動側ハウジング３２の位置の前後左右の微調整が行われる。
【００３６】
プラグコネクタ２に対しての可動側ハウジング３２の位置が調整される際には、可動側ハウジング３２が固定側ハウジング３１に対して、前後左右にスライド移動する。その際には、固定側ハウジング３１に固定された接続片５１の被摺接部５３上をレセプタクルコンタクト３３の摺接部７４が摺接することにより、レセプタクルコンタクト３３と接続片５１の電気的接続が保たれ、その結果、レセプタクルコンタクト３３と第２基板１１の配線パターンとの電気的接続が保たれる。
【００３７】
プラグコンタクト２２の接触部２２ａは、プラグコンタクト接続部６３に上下方向に一定以上挿入されると、レセプタクルコンタクト３３における被接触部７２の凸部７５に接触する。この際、凸部７５の上側は、傾斜状に形成されているので円滑に接触部２２ａが凸部７５，７５間に挿入される。その際に、被接触部７２は拡開し、凸部７５，７５間の間隔が接触部２２ａにあわせて広がる。プラグコンタクト２２は、接触部２２ａが左右の凸部７５，７５に挟まれるようにして、レセプタクルコンタクト３３と接触し、レセプタクルコンタクト３３と電気的に接続される。レセプタクルコンタクト３３の左右の凸部７５，７５は、その間隔がプラグコンタクト２２の接触部２２ａの厚みより小さく形成されているので、接触部２２ａを凸部７５，７５間に挿入した際には、凸部７５，７５がプラグコンタクト２２を挟む方向に力が働き、レセプタクルコンタクト３３とプラグコンタクト２２は好適に接続される。このようにして、プラグコネクタ２とレセプタクルコネクタ３とが電気的に接続され、第１基板１０と第２基板１１とが電気的に接続される。
【００３８】
プラグコンタクト２２の接触部２２ａは、レセプタクルコンタクト３３における被接触部７２の凸部７５に左右方向に挟持されるようにしてレセプタクルコンタクト３３と接続される。プラグコンタクト２２の接触部２２ａは、上下方向に所定の幅を有する。従って、接触部２２ａがプラグコンタクト接続部６３に対して上下方向に相対移動しても、接触部２２ａとレセプタクルコンタクト３３の接続は保たれる。よって、プラグコネクタ２をレセプタクルコネクタ３に接続する際に、プラグコネクタ２のレセプタクルコネクタ３に対する上下の位置が多少ずれてもプラグコンタクト２２とレセプタクルコンタクト３３とを接続することができ、プラグコネクタ２とレセプタクルコネクタ３とを接続することができる。
【００３９】
可動側ハウジング３２は、固定側ハウジング３１に対して前後左右に相対移動可能である。固定側ハウジング３１に設置された接続片５１には、前後左右に延びる平板面状の当接面５３ａが形成され、レセプタクルコンタクト３３が前後左右に方向に移動した際もレセプタクルコンタクト３３の摺接部７４が摺接するようになっているので、可動側ハウジ
ング３２が前後左右に移動しても、レセプタクルコンタクト３３と当接面５３ａとの接続は維持される。従って、プラグコネクタ２をレセプタクルコネクタ３と接続する際に、プラグコネクタ２の位置がレセプタクルコネクタ３に対して前後方向あるいは左右方向にずれたとしても、そのずれを吸収することができる。
【００４０】
このように形成されるレセプタクルコネクタ３は、可動側ハウジング３２が固定側ハウジング３１に対してスライド移動する際には、可動側ハウジング３２に固定されたレセプタクルコンタクト３３が固定側ハウジング３１に固定された接続片５１に摺接されて接続された状態を保つので、レセプタクルコンタクト３３を前後方向に弾性変形可能とするべく上下に大きく折り曲げた形状とする必要がなく、レセプタクルコンタクト３３の上下方向の大きさを小さくすることができ、低背型のレセプタクルコネクタ３とすることができる。
【００４１】
また、このコネクタアセンブリ１は、プラグコンタクト接続部６３が、上方だけでなく前方も開放されているので、前後方向に突出したプラグコンタクト２２を挿入でき、プラグコネクタ２とレセプタクルコネクタ３を前後方向に並べて接続できる。従って、このコネクタアセンブリ１は、低背型とすることができる。更に、このコネクタアセンブリ１は、プラグコンタクト接続部６３が、前方だけでなく上方も開放されているので、レセプタクルコネクタ３の上方から重ねるようにプラグコネクタ２を接続することができるので、前後方向に空きスペースの無い製造現場であっても本発明を適用することができる。
【００４２】
なお、本発明は、上記実施形態に限定されるものではなく、本発明の要旨を逸脱しない範囲であれば適宜改良可能である。
【００４３】
上記実施形態では、両基板（第１基板１０、第２基板１１）を前後に配置して接続する水平接続式のコネクタアセンブリ１を例示して説明したが、この構成に限定されるものではなく、本発明を、両基板を互いに直角に配置して電気接続する垂直接続式のコネクタアセンブリや、両基板を互いに平行に重ね合せるように接続する方式のコネクタアセンブリ等に適用してもよい。
【００４４】
上記実施形態では、プラグコネクタ２あるいは、レセプタクルコネクタ３を基板装着型コネクタとして説明したが、プラグコネクタ２あるいはレセプタクルコネクタ３は、例えば、ケーブル装着型のコネクタ等各種のコネクタとしてもよい。上記実施形態では、プラグコンタクト２２は、上下方向と後ろ方向がプラグハウジング２１から露出しているが、少なくとも上下方向が露出していればよい。上記実施形態では、固定側ハウジング３１の接続片５１が前後左右に延びる平板面状の当接面５３ａを有しているが、レセプタクルコンタクト３３に前後左右に延びる平板面状の当接面を形成してもよい。また、その際には、接続片５１に、当接面と当接接触する摺接部（当接脚）と、摺接部から後方に延在し、上下に弾性変形可能なバネ部（当接脚）と、を形成するとよい。
【符号の説明】
【００４５】
１      コネクタアセンブリ
２      プラグコネクタ（相手側コネクタ）
３      レセプタクルコネクタ
２１    プラグハウジング（相手側ハウジング）
２２    プラグコンタクト（相手側コンタクト）
２２ａ  接触部（相手側接続部）
３１    固定側ハウジング
３２    可動側ハウジング
３３    レセプタクルコンタクト（可動側コンタクト）
５１    接続片（固定側コンタクト）
５３    被摺接部（固定側コンタクト第１接続部）
５３ａ  当接面
６３    プラグコンタクト接続部（接続部）
７１    圧入部（可動側コンタクト第１接続部、受容脚）
７２    被接触部（可動側コンタクト第１接続部、受容脚）
７３    バネ部（当接脚）
７４    摺接部（可動側コンタクト第２接続部、当接脚）
【図１】
2020198193.tif 000003
【図２】
2020198193.tif 000004
【図３】
2020198193.tif 000005
【図４】
2020198193.tif 000006
【図５】
2020198193.tif 000007
【図６】
2020198193.tif 000008
【図７】
2020198193.tif 000009
【図８】
2020198193.tif 000010
【図９】
2020198193.tif 000011
【図１０】
2020198193.tif 000012
【図１１】
2020198193.tif 000013
【図１２】
2020198193.tif 000014
【図１３】
2020198193.tif 000015
【図１４】
2020198193.tif 000016
【図１５】
2020198193.tif 000017
【図１６】
2020198193.tif 000018
【図１７】
2020198193.tif 000019
【図１８】
2020198193.tif 000020